(57)【要約】  熱交換型換気システム（１００）は、熱交換型換気装置（１）と、給気風路（１１）における熱交換素子（２）よりも下流側に配置されて、熱交換素子（２）よりも下流側の給気風路（１１）を通過する空気を加熱または冷却する温度調整コイル（２１）と、室内の空気を給気風路（１１）における温度調整コイル（２１）よりも上流側の途中位置に還流させる還流給気風路と、外気を取り入れる風路である給気風路（１１）と還流給気風路とを切り換える風路切り換えダンパーと、外気の温度を検知する外気温度センサー（５）と、室外に排気する室内の空気の温度を検知する還気温度センサー（６）と、熱交換型換気装置（１）と温度調整コイル（２１）と風路切り換えダンパーの動作を制御する制御部（３１）と、を備える。
2019058517.tif 000002
【特許請求の範囲】
【請求項１】
熱交換型換気装置と、室外の外気を室内に給気する給気風路と、室内の空気を室外に排気する排気風路とを備えた熱交換型換気システムであって、
前記熱交換型換気装置内の前記給気風路である装置内給気風路と、前記熱交換型換気装置内の前記排気風路である装置内排気風路と、が独立して内部に形成された筐体と、
前記装置内給気風路に設けられた給気用送風機と、
前記装置内排気風路に設けられた排気用送風機と、
前記筐体の内部に設けられて前記装置内給気風路を通過する空気と前記装置内排気風路を通過する空気との間で熱交換させる熱交換素子と、
を備えた前記熱交換型換気装置と、
前記給気風路における前記熱交換素子よりも下流側に配置されて、前記熱交換素子よりも下流側の前記給気風路を通過する空気を加熱または冷却する温度調整コイルと、
前記室内の空気を前記給気風路における前記温度調整コイルよりも上流側の途中位置に還流させる還流給気風路と、
外気を取り入れる風路である前記給気風路と前記還流給気風路とを切り換える風路切り換えダンパーと、
前記外気の温度を検知する外気温度センサーと、
前記室外に排気する前記室内の空気の温度を検知する還気温度センサーと、
前記熱交換型換気装置と前記温度調整コイルと前記風路切り換えダンパーの動作を制御する制御部と、
を備えることを特徴とする熱交換型換気システム。
【請求項２】
前記制御部は、前記温度調整コイルが空気を加熱する暖房運転モードまたは空気を冷却する冷房運転モードの一方であって、前記外気温度センサーによって検知された前記外気の温度および前記還気温度センサーによって検知された前記室内の空気の温度が既定の温度条件を満たす場合に、前記給気風路から前記還流給気風路に切り換える位置に前記風路切り換えダンパーを配置する第１切り換え制御を実施すること、
を特徴とする請求項１に記載の熱交換型換気システム。
【請求項３】
前記制御部は、前記温度調整コイルが空気を加熱する暖房運転モードであり、前記外気温度センサーによって検知された前記外気の温度が既定の第１温度閾値以下であり、前記還気温度センサーによって検知された前記室内の空気の温度が既定の第２温度閾値以下である場合に、前記第１切り換え制御を実施すること、
を特徴とする請求項２に記載の熱交換型換気システム。
【請求項４】
前記制御部は、前記温度調整コイルが冷房運転モードであり、前記外気温度センサーによって検知された前記外気の温度が既定の第３温度閾値以上であり、前記還気温度センサーによって検知された前記室内の空気の温度が既定の第４温度閾値以上である場合に、前記第１切り換え制御を実施すること、
を特徴とする請求項２に記載の熱交換型換気システム。
【請求項５】
第１切り換え制御の実施後に、前記温度調整コイルの設定温度と、前記還気温度センサーによって検知された前記室内の空気の温度との温度差が、既定の温度差閾値以下になった場合に、前記還流給気風路から前記給気風路に切り換える位置に前記風路切り換えダンパーを戻す第２切り換え制御を実施すること、
を特徴とする請求項３または４に記載の熱交換型換気システム。
【請求項６】
前記制御部は、前記第１切り換え制御の実施後に既定の時間が経過した場合に、前記還流給気風路から前記給気風路に切り換える位置に前記風路切り換えダンパーを戻す第２切り換え制御を実施すること、
を特徴とする請求項３または４に記載の熱交換型換気システム。
【請求項７】
前記制御部は、前記温度調整コイルが暖房運転モードまたは冷房運転モードの一方であって、現在の時刻と既定の時刻とに基づいて、前記給気風路から前記還流給気風路に切り換える位置に前記風路切り換えダンパーを配置する第１切り換え制御と、前記還流給気風路から前記給気風路に切り換える位置に前記風路切り換えダンパーを戻す第２切り換え制御とを実施すること、
を特徴とする請求項１に記載の熱交換型換気システム。
【請求項８】
前記制御部は、前記熱交換型換気システムが運転している場合に前記第１切り換え制御を実施し、現在の時刻が前記既定の時刻を経過した場合に前記第２切り換え制御を実施すること、
を特徴とする請求項７に記載の熱交換型換気システム。
【請求項９】
前記制御部は、前記第１切り換え制御の実施後に、前記給気用送風機の風量を増加させること、
を特徴とする請求項２から８のいずれか１つに記載の熱交換型換気システム。
【請求項１０】
前記制御部は、前記排気用送風機について、前記第１切り換え制御の実施後から前記第２切り換え制御を実施するまでの間に、前記排気用送風機を停止させる制御、前記排気用送風機の風量を前記第１切り換え制御の実施前よりも低減させる制御、および前記排気用送風機の風量を前記第１切り換え制御の実施前と同じ状態を継続する制御のうち任意の制御に切り換えて実施可能であること、
を特徴とする請求項５から８のいずれか１つに記載の熱交換型換気システム。
【請求項１１】
前記制御部は、前記排気用送風機について、前記第１切り換え制御の実施後から前記第２切り換え制御を実施するまでの間に、前記排気用送風機を停止させる制御、前記排気用送風機の風量を前記第１切り換え制御の実施前よりも低減させる制御、および前記排気用送風機の風量を前記第１切り換え制御の実施前と同じ状態を継続する制御のうち、あらかじめ決められたいずれか１つの制御を実施すること、
を特徴とする請求項５から８のいずれか１つに記載の熱交換型換気システム。
【請求項１２】
前記温度調整コイルが、前記装置内給気風路における前記熱交換素子よりも下流側に配置されていること、
を特徴とする請求項１から１１のいずれか１つに記載の熱交換型換気システム。
【請求項１３】
前記温度調整コイルが、前記装置内給気風路よりも下流側の下流側給気風路の途中位置に配置されていること、
を特徴とする請求項１から１１のいずれか１つに記載の熱交換型換気システム。
【請求項１４】
前記給気風路における前記熱交換型換気装置よりも上流側の上流側給気風路の途中位置から分岐されて、前記上流側給気風路と室内とを連通させる分岐給気風路を有し、
前記風路切り換えダンパーが、前記分岐給気風路を塞ぐとともに前記上流側給気風路を開放して外気を取り入れる風路である第１風路と、前記上流側給気風路の上流側を塞ぐとともに前記上流側給気風路の前記分岐給気風路よりも下流側の部分と前記分岐給気風路とを連通させて室内空気を循環させる風路である第２風路とを切り換える、前記給気風路における前記熱交換型換気装置よりも上流側の上流側給気風路の途中位置に配置された第１風路切り換えダンパーであり、
前記第２風路が前記還流給気風路であること、
を特徴とする請求項１から１１のいずれか１つに記載の熱交換型換気システム。
【請求項１５】
前記風路切り換えダンパーが、前記装置内給気風路における前記熱交換素子よりも下流側の部分と前記熱交換型換気装置内の前記排気風路における前記熱交換素子よりも上流側の部分とを仕切るとともに前記熱交換型換気装置内の前記給気風路における前記熱交換素子よりも下流側の部分を開放して外気を取り入れる風路である第３風路と、前記熱交換型換気装置内の前記給気風路における前記熱交換素子よりも上流側を塞ぐとともに前記熱交換型換気装置内の前記給気風路における前記熱交換素子よりも下流側の部分と前記熱交換型換気装置内の前記排気風路における前記熱交換素子よりも上流側の部分とを連通させて室内空気を循環させる風路である第４風路とを切り換える、前記熱交換型換気装置内の前記給気風路における前記熱交換素子よりも下流側に配置された第２風路切り換えダンパーであり、
前記第４風路が前記還流給気風路であること、
を特徴とする請求項１から１１のいずれか１つに記載の熱交換型換気システム。
【発明の詳細な説明】
【技術分野】
【０００１】
本発明は、室内の空気を室外へ排出する排気流と、室外の空気を室内へ給気する給気流との間で熱交換を行う熱交換型換気装置を有する熱交換型換気システムに関するものである。
【背景技術】
【０００２】
熱交換型換気装置には、室内からの排気流と室外からの給気流とを全熱交換素子で交差させることによって排気流と給気流との間で温度および湿度の交換を行った後に、さらに給気風路に設置された温度調整機器によって給気流の温度を調整する機器が存在する。このような機器には、温度調整コイルを有する別の機器を熱交換型換気装置の給気ダクト上に設置する分離型と、熱交換型換気装置の内部に温度調整コイルを有する一体型のものとが存在する。【０００３】
特許文献１には、ケーシングの内部における室外供給口から室内供給口に至る室外空気供給通路の途中に空調コイルを備えた全熱交換換気装置が開示されている。
【先行技術文献】
【特許文献】
【０００４】
【特許文献１】特開平８−４２８９３号公報
【発明の概要】
【発明が解決しようとする課題】
【０００５】
しかしながら、温度調整コイルを有した熱交換型換気装置において、例えば冬季の早朝に換気および暖房を行う際、屋外の気温および室内の気温がともに低い場合、全熱交換素子によって外気と室内還気間で温度交換を行ったとしても、全熱交換素子の通過後の給気流の温度が低いことに起因して、温度調整コイルで温調しても室内への給気風が十分な温度まで上がらない状態が継続して、暖房するために時間がかかる可能性、または室内が暖房されない状態になってしまう可能性がある。【０００６】
同様に夏季において、室内の温度と外気との温度差が小さいために温度調整コイルを通過後の給気流の温度が低くならず、室内温度を目標温度まで冷房するために時間がかかる可能性、または室内が冷房されない状態になってしまう可能性がある。【０００７】
また、早朝などにおける熱交換型換気装置の運転では、在室する人数がさほど多くないことが予想されることから、新鮮な外気取り入れのニーズが高くないと考えられる。このような状況で、例えば冬季の場合、室内がまだ暖められていないにもかかわらず、温度の低い外気を換気によって取り入れることは、空気調和の効率が低いという問題がある。【０００８】
上記の問題は、特に、換気と空気調和とを、熱交換型換気装置と、温度調整コイルとからなるシステムによって単独で行う場合、すなわち温度調整機能を備えた熱交換型換気装置の他に何も内調機を設置しない場合に顕著に生じることになる。【０００９】
本発明は、上記に鑑みてなされたものであって、熱交換型換気装置と温度調整コイルとを備え、室内に給気する空気を効率的に温度調整することができる熱交換型換気システムを得ることを目的とする。
【課題を解決するための手段】
【００１０】
上述した課題を解決し、目的を達成するために、本発明にかかる熱交換型換気システムは、熱交換型換気装置と、室外の外気を室内に給気する給気風路と、室内の空気を室外に排気する排気風路とを備えた熱交換型換気システムである。熱交換型換気システムは、熱交換型換気装置内の給気風路である装置内給気風路と、熱交換型換気装置内の排気風路である装置内排気風路と、が独立して内部に形成された筐体と、装置内給気風路に設けられた給気用送風機と、装置内排気風路に設けられた排気用送風機と、筐体の内部に設けられて装置内給気風路を通過する空気と装置内排気風路を通過する空気との間で熱交換させる熱交換素子と、を備えた熱交換型換気装置を備える。熱交換型換気システムは、給気風路における熱交換素子よりも下流側に配置されて、熱交換素子よりも下流側の給気風路を通過する空気を加熱または冷却する温度調整コイルと、室内の空気を給気風路における温度調整コイルよりも上流側の途中位置に還流させる還流給気風路と、外気を取り入れる風路である給気風路と還流給気風路とを切り換える風路切り換えダンパーと、外気の温度を検知する外気温度センサーと、室外に排気する室内の空気の温度を検知する還気温度センサーと、熱交換型換気装置と温度調整コイルと風路切り換えダンパーの動作を制御する制御部と、を備える。
【発明の効果】
【００１１】
本発明にかかる熱交換型換気システムは、熱交換型換気装置と温度調整コイルとを備え、室内に給気する空気を効率的に温度調整することができる、という効果を奏する。
【図面の簡単な説明】
【００１２】
【図１】本発明の実施の形態１にかかる熱交換型換気システムの構成を簡略化して示す模式図
【図２】本発明の実施の形態１にかかる熱交換型換気システムの制御に関わる機能構成を示す図
【図３】本発明の実施の形態１における処理回路のハードウェア構成の一例を示す図
【図４】本発明の実施の形態１にかかる熱交換型換気システムの運転時における風路の切り換え動作の手順の一例を示すフローチャート
【図５】本発明の実施の形態２における熱交換型換気システムの運転時における風路の切り換え動作の手順の一例を示すフローチャート
【図６】本発明の実施の形態３における熱交換型換気システムの運転時における風路の切り換え動作の手順の一例を示すフローチャート
【図７】本発明の実施の形態４における熱交換型換気システムの運転時における風路の切り換え動作の手順の一例を示すフローチャート
【図８】本発明の実施の形態５における熱交換型換気システムの運転時における風路の切り換え動作の手順の一例を示すフローチャート
【図９】本発明の実施の形態６にかかる熱交換型換気システムの構成を簡略化して示す模式図
【図１０】本発明の実施の形態７にかかる熱交換型換気システムの構成を簡略化して示す模式図
【発明を実施するための形態】
【００１３】
以下に、本発明の実施の形態にかかる熱交換型換気システムを図面に基づいて詳細に説明する。なお、この実施の形態によりこの発明が限定されるものではない。
【００１４】
実施の形態１．
図１は、本発明の実施の形態１にかかる熱交換型換気システム１００の構成を簡略化して示す模式図である。図２は、本発明の実施の形態１にかかる熱交換型換気システム１００の制御に関わる機能構成を示す図である。
【００１５】
熱交換型換気システム１００は、室外の空気である外気を室内に給気する給気風路１１と、室内の空気を室外に排気する排気風路１２と、を備えた熱交換型換気システムである。熱交換型換気システム１００は、外気を取り込む外気吸込口１ａ、外気を室内に給気する給気吐出口１ｂ、室内空気を取り込む室内空気吸込口１ｃおよび室内空気を屋外へ排気する排気吐出口１ｄを備えた筐体１ｅの内部に全熱交換器である熱交換素子２が配置された熱交換型換気装置１を有している。熱交換型換気装置１は、筐体１ｅの内部に熱交換素子２を有する空調用の熱交換型換気装置である。熱交換型換気装置１は、天井裏５２に隠蔽された状態で設置されている。また、熱交換型換気装置１は、筐体１ｅの外部に取り付けられた制御部３１と、室内５３に設置されたリモートコントローラー３２とを備える。図１においては、天井５１の上の領域が天井裏５２であり、天井５１の下の領域が室内５３である。
【００１６】
なお、図１において、符号ＯＡは外気（Ｏｕｔｄｏｏｒ  Ａｉｒ）、符号ＳＡは給気（Ｓｕｐｐｌｙ  Ａｉｒ）、符号ＲＡは還気（Ｒｅｔｕｒｎ  Ａｉｒ）、符号ＥＡは排気（Ｅｘｈａｕｓｔ  Ａｉｒ）を示している。
【００１７】
熱交換型換気システム１００の給気風路１１は、熱交換型換気装置１よりも上流側であって室外に連通する上流側給気風路１１ａと、熱交換型換気装置１内の給気風路１１である装置内給気風路１１ｂと、熱交換型換気装置１よりも下流側であって室内に連通する下流側給気風路１１ｃと、の３つに分けられる。
【００１８】
また、熱交換型換気システム１００の排気風路１２は、熱交換型換気装置１よりも上流側であって室内に連通する上流側排気風路１２ａと、熱交換型換気装置１内の排気風路１２である装置内排気風路１２ｂと、熱交換型換気装置１よりも下流側であって室外に連通する下流側排気風路１２ｃと、の３つに分けられる。
【００１９】
熱交換型換気装置１は、熱交換素子２を介して外気吸込口１ａと給気吐出口１ｂとを結ぶ熱交換型換気装置１内の給気風路１１である装置内給気風路１１ｂと、熱交換素子２を介して室内空気吸込口１ｃと排気吐出口１ｄを結ぶ熱交換型換気装置１内の排気風路１２である装置内排気風路１２ｂと、を備える。装置内給気風路１１ｂと装置内排気風路１２ｂとは、互いに独立した風路となっている。
【００２０】
装置内給気風路１１ｂは、外気ＯＡを室内へ給気するための風路であり、外気吸込口１ａと熱交換素子２との間に形成された外気熱交換前風路１１ｂａと、熱交換素子２と給気吐出口１ｂとの間に形成された外気熱交換後風路１１ｂｂと、熱交換素子２の内部に形成された熱交換素子給気風路１１ｂｃと、を有している。
【００２１】
装置内排気風路１２ｂは、室内空気である還気ＲＡを室外へ排気するための風路であり、室内空気吸込口１ｃと熱交換素子２との間に形成された室内空気熱交換前風路１２ｂａと、熱交換素子２と排気吐出口１ｄとの間に形成された室内空気熱交換後風路１２ｂｂと、熱交換素子２の内部に形成された熱交換素子排気風路１２ｂｃと、を有している。この構成により、装置内給気風路１１ｂと装置内排気風路１２ｂとは、熱交換素子２において交差している。
【００２２】
外気熱交換後風路１１ｂｂと室内空気熱交換後風路１２ｂｂとは、熱交換素子２により仕切られている。外気熱交換前風路１１ｂａと室内空気熱交換前風路１２ｂａとは、熱交換素子２により仕切られている。外気熱交換前風路１１ｂａと室内空気熱交換後風路１２ｂｂとは、平板状の仕切壁７により区画されている。そして、室内空気熱交換前風路１２ｂａと外気熱交換後風路１１ｂｂとは、仕切壁８により仕切られている。
【００２３】
熱交換型換気装置１は、外気吸込口１ａから給気吐出口１ｂへ向かう給気流の流れを生成する給気用送風機３を装置内給気風路１１ｂに備える。また、熱交換型換気装置１は、室内空気吸込口１ｃから排気吐出口１ｄへ向かう排気流の流れを生成する排気用送風機４を装置内排気風路１２ｂに備える。
【００２４】
給気用送風機３は、外気熱交換後風路１１ｂｂ内に配置され、給気用送風機３を駆動するための不図示の給気用モーターを内部に備えている。排気用送風機４は、室内空気熱交換後風路１２ｂｂ内に配置され、排気用送風機４を駆動するための不図示の排気用モーターを内部に備えている。給気用モーターと排気用モーターとは、後述する制御部３１による制御に応じて回転速度が変化する。
【００２５】
外気吸込口１ａには、ダクト配管によって構成され、外気ＯＡを取り入れて熱交換型換気装置１に流すための外気取り入れ風路である上流側給気風路１１ａが接続されている。給気吐出口１ｂには、ダクト配管によって構成され、熱交換型換気装置１から給気流を室内に流すための給気吐出風路である下流側給気風路１１ｃが接続されている。室内空気吸込口１ｃには、ダクト配管によって構成され、室内空気を取り入れて熱交換型換気装置１に流すための室内空気吸込風路である上流側排気風路１２ａが接続されている。排気吐出口１ｄには、ダクト配管によって構成され、熱交換型換気装置１から排気流を屋外に流すための排気吐出風路である下流側排気風路１２ｃが接続されている。
【００２６】
下流側給気風路１１ｃには、熱交換型換気装置１の外部に設けられた温度調整コイル２１が配置されている。温度調整コイル２１は、下流側給気風路１１ｃを通過する給気流を加熱または冷却することが可能な熱交換器である。すなわち、温度調整コイル２１は、給気風路における熱交換素子２よりも下流側に配置されて、熱交換素子２よりも下流側の給気風路を通過する空気を加熱または冷却する。温度調整コイル２１は、制御部３１によって熱交換型換気装置１と連動して運転が制御され、ユーザーが設定した目標温度に室内温度が到達するように、下流側給気風路１１ｃを通過する給気流の温度を温度調整する。すなわち、温度調整コイル２１は、熱交換型換気装置１から供給された給気空気が温度調整コイル２１を通過するときに、通過する給気空気を加熱する。また、温度調整コイル２１は、熱交換型換気装置１から供給された給気空気が温度調整コイル２１を通過するときに、通過する給気空気を冷却する。
【００２７】
上述するように、図１において、符号ＯＡは外気、符号ＳＡは給気、符号ＲＡは還気、符号ＥＡは排気を示している。
【００２８】
外気ＯＡは、室外から、建物の外部に連通した上流側給気風路１１ａを介して、外気吸込口１ａから外気熱交換前風路１１ｂａへ流入して給気流となる。外気熱交換前風路１１ｂａへ流入した給気流は、熱交換素子２、外気熱交換後風路１１ｂｂ、給気用送風機３、給気吐出口１ｂ、下流側給気風路１１ｃ、温度調整コイル２１および下流側給気風路１１ｃを経て室内へ吹き出される。
【００２９】
還気ＲＡは、室内から、室内に連通した上流側排気風路１２ａを介して、室内空気吸込口１ｃから室内空気熱交換前風路１２ｂａへ流入して排気流となる。室内空気熱交換前風路１２ｂａへ流入した排気流は、熱交換素子２、室内空気熱交換後風路１２ｂｂ、排気用送風機４および下流側排気風路１２ｃを経て排気ＥＡとして、室外へ吹き出される。
【００３０】
室内空気熱交換前風路１２ｂａには、室内空気熱交換前風路１２ｂａを通過する空気の温度、すなわち外気の温度を検知する外気温度センサー５が配置されている。外気温度センサー５は、熱交換型換気装置１の電源がオン状態の間、予め設定された既定の周期で外気の温度を検出し、検出した外気の温度の情報を後述する制御部３１に送信する。
【００３１】
また、室内空気熱交換前風路１２ｂａには、室内空気熱交換前風路１２ｂａを通過する空気の温度、すなわち室内空気である還気の温度を検知することで室内温度を検知する還気温度センサー６が配置されている。還気温度センサー６は、熱交換型換気装置１の電源がオン状態の間、予め設定された周期で室内空気の温度を検出し、検出した室内空気の温度の情報を後述する制御部３１に送信する。
【００３２】
また、外気取り入れ風路を構成する上流側給気風路１１ａの途中には、ダクト配管によって構成され、上流側給気風路１１ａと室内とを連通させる分岐給気風路１３が接続されている。すなわち、上流側給気風路１１ａには、給気風路１１における熱交換型換気装置１よりも上流側の上流側給気風路１１ａの途中位置から分岐されて、上流側給気風路１１ａと室内とを連通させる分岐給気風路１３が接続されている。
【００３３】
そして、熱交換型換気システム１００は、外気を取り入れる風路である給気風路１１と、室内の空気を給気風路における温度調整コイル２１よりも上流側の途中位置に還流して室内空気を循環させる風路である還流給気風路と、を切り換える風路切り換えダンパーが設けられている。すなわち、上流側給気風路１１ａの途中には、給気風路における熱交換型換気装置１よりも上流側の上流側給気風路１１ａの途中位置に配置されて、分岐給気風路１３を塞ぐとともに上流側給気風路１１ａを開放して外気を取り入れる風路である第１風路と、上流側給気風路１１ａの上流側を塞ぐとともに上流側給気風路１１ａの分岐給気風路１３よりも下流側の部分と分岐給気風路１３とを連通させて室内空気を循環させる風路である第２風路と、を切り換える風路切り換えダンパーである第１風路切り換えダンパー２２が設けられている。そして、第２風路が還流給気風路である。
【００３４】
第１風路切り換えダンパー２２は、例えば上流側給気風路１１ａの内部で回転する板からなり、制御部３１の制御によってモーター制御部２３がモーター２４を駆動させることによって上流側給気風路１１ａ内での向きが変化して、第１風路と第２風路とを切り換えることができる。
【００３５】
制御部３１は、熱交換型換気装置１と温度調整コイル２１と風路切り換えダンパーの動作を制御する動作制御部としての機能と、風路切り換え信号の送信および熱交換型換気システム１００内の他の構成部との情報通信を行う通信部としての機能を有する。制御部３１は、リモートコントローラー３２で受け付けられてリモートコントローラー３２から送信された熱交換型換気装置１の動作を指示する情報に基づいて、または制御部３１にあらかじめ設定されている動作を指示する情報に基づいて、熱交換型換気装置１の動作を制御する。制御部３１は、リモートコントローラー３２で受け付けられてリモートコントローラー３２から送信された温度調整コイル２１の動作を指示する情報に基づいて、または制御部３１にあらかじめ設定されている動作を指示する情報に基づいて、温度調整コイル２１の動作を制御する。また、制御部３１は、リモートコントローラー３２で受け付けられてリモートコントローラー３２から送信されて第１風路切り換えダンパー２２の動作を指示する情報に基づいて、または制御部３１にあらかじめ設定されている動作を指示する情報に基づいて、第１風路切り換えダンパー２２の動作を制御する。
【００３６】
制御部３１は、温度調整コイル２１が、空気を加熱する暖房運転モードまたは空気を冷却する冷房運転モードで運転する際に、外気温度センサー５によって検知された外気の温度および還気温度センサー６によって検知された室内の空気の温度が既定の温度条件を満たす場合に、給気風路１１から還流給気風路に切り換える位置に第１風路切り換えダンパー２２を配置する第１切り換え制御を実施する。
【００３７】
具体的に、本実施の形態１では、第１切り換え制御を実施することによって第１風路切り換えダンパー２２の向きが、分岐給気風路１３を塞ぐとともに上流側給気風路１１ａを開放する位置から、上流側給気風路１１ａの上流側を塞ぐとともに上流側給気風路１１ａの分岐給気風路１３よりも下流側の部分と分岐給気風路１３とを連通させる位置に変化する。これにより、第１風路から第２風路に風路が切り換えられる。
【００３８】
すなわち、制御部３１は、温度調整コイル２１が暖房運転モードで運転しており、外気温度センサー５によって検知された外気の温度が既定の第１温度閾値以下であり、還気温度センサー６によって検知された室内の空気の温度が既定の第２温度閾値以下である場合に、第１切り換え制御を実施する。既定の第１温度閾値は、温度調整コイル２１が暖房運転モードで運転している場合に、制御部３１が第１切り換え制御を実施するか否かを判定するための外気温度センサー５の温度閾値である。既定の第２温度閾値は、温度調整コイル２１が暖房運転モードで運転している場合に、制御部３１が第１切り換え制御を実施するか否かを判定するための還気温度センサー６の温度閾値である。
【００３９】
また、制御部３１は、温度調整コイル２１が冷房運転モードで運転しており、外気温度センサー５によって検知された外気の温度が既定の第３温度閾値以上であり、還気温度センサー６によって検知された室内の空気の温度が既定の第４温度閾値以上である場合に、第１切り換え制御を実施する。既定の第３温度閾値は、温度調整コイル２１が冷房運転モードで運転している場合に、制御部３１が第１切り換え制御を実施するか否かを判定するための外気温度センサー５の温度閾値である。既定の第４温度閾値は、温度調整コイル２１が冷房運転モードで運転している場合に、制御部３１が第１切り換え制御を実施するか否かを判定するための還気温度センサー６の温度閾値である。
【００４０】
また、制御部３１は、第１切り換え制御の実施後に、温度調整コイル２１の設定温度と、還気温度センサー６によって検知された室内の空気の温度との温度差が、既定の温度差閾値以下になった場合に、還流給気風路である分岐給気風路１３から給気風路１１に切り換える位置に第１風路切り換えダンパー２２を戻す第２切り換え制御を実施する。既定の温度差閾値は、第１切り換え制御の実施後に、制御部３１が第２切り換え制御を実施するか否かを判定するための、温度調整コイル２１の設定温度と室内の空気の温度との温度差の閾値である。
【００４１】
第１温度閾値、第２温度閾値、第３温度閾値、第４温度閾値および温度差閾値は、あらかじめ制御部３１に記憶されている。また、第１温度閾値、第２温度閾値、第３温度閾値、第４温度閾値および温度差閾値は、ユーザーがリモートコントローラー３２を操作することによって、任意の値に設定可能である。
【００４２】
制御部３１は、例えば、図３に示したハードウェア構成の処理回路として実現される。図３は、本発明の実施の形態１における処理回路のハードウェア構成の一例を示す図である。制御部３１が図３に示す処理回路により実現される場合、制御部３１は、プロセッサ１０１がメモリ１０２に記憶されたプログラムを実行することにより、実現される。また、複数のプロセッサおよび複数のメモリが連携して上記機能を実現してもよい。また、制御部３１の機能のうちの一部を電子回路として実装し、他の部分をプロセッサ１０１およびメモリ１０２を用いて実現するようにしてもよい。
【００４３】
また、モーター制御部２３を、同様にプロセッサ１０１がメモリ１０２に記憶されたプログラムを実行することにより、実現されるように構成してもよい。また、複数のプロセッサおよび複数のメモリが連携してモーター制御部２３の機能を実現してもよい。また、モーター制御部２３の機能のうちの一部を電子回路として実装し、他の部分をプロセッサ１０１およびメモリ１０２を用いて実現するようにしてもよい。
【００４４】
リモートコントローラー３２は、主たる機能として、設定操作を受け付ける操作部としての機能と、制御部３１との間で通信を行って情報の送受信を行う通信部としての機能とを有する。リモートコントローラー３２は、熱交換型換気システム１００の動作等の各種制御についての指令を受け付ける。リモートコントローラー３２は、ユーザーから受け付けた各種指令を制御部３１に送信する。また、リモートコントローラー３２は、ユーザーによって温度調整コイル２１の設定温度、第１温度閾値、第２温度閾値、第３温度閾値、第４温度閾値および温度差閾値等の設定値が選択されたときには、選択された設定値を制御部３１に送信する。すなわち、第１温度閾値、第２温度閾値、第３温度閾値、第４温度閾値および温度差閾値は、ユーザーがリモートコントローラー３２を操作することによって、任意の値に設定可能である。
【００４５】
つぎに、熱交換型換気システム１００の運転時における第１風路切り換えダンパー２２による風路の切り換え動作について説明する。図４は、本発明の実施の形態１にかかる熱交換型換気システム１００の運転時における風路の切り換え動作の手順の一例を示すフローチャートである。
【００４６】
まず、熱交換型換気システム１００の電源がオンにされると、ステップＳ１０において制御部３１は、温度調整コイル２１の現在の運転が暖房運転であるか否かを判定する。
【００４７】
例えば現在が冬季であって温度調整コイル２１の現在の運転が暖房運転である場合、すなわちステップＳ１０においてＹｅｓの場合は、ステップＳ２０において制御部３１は、外気温度センサー５によって検知された現在の外気の温度が０℃以下であるか否かを判定する。この場合の０℃は、既定の第１温度閾値である。
【００４８】
現在の外気の温度が０℃以下である場合、すなわちステップＳ２０においてＹｅｓの場合は、ステップＳ３０において制御部３１は、還気温度センサー６によって検知された現在の室内の空気の温度、すなわち室内温度が１０℃以下であるか否かを判定する。この場合の１０℃は、既定の第２温度閾値である。
【００４９】
現在の室内温度が１０℃以下である場合、すなわちステップＳ３０においてＹｅｓの場合は、ステップＳ４０において制御部３１は、風路の切り換えを指示する風路切り換え信号を第１風路切り換えダンパー２２に送信して第１切り換え制御を実施し、第１風路から第２風路に切り換える。第１風路切り換えダンパー２２は、風路切り換え信号が送信されている間だけ、第１風路から第２風路に切り換えるように向きが変化する。
【００５０】
つぎに、ステップＳ５０において制御部３１は、温度調整コイル２１の設定温度と、還気温度センサー６によって検知された現在の室内の空気の温度との温度差が３℃以下であるか否か、すなわち（温度調整コイル２１の設定温度−現在の室内温度≦３℃）であるか否かを判定する。
【００５１】
温度調整コイル２１の設定温度と、還気温度センサー６によって検知された現在の室内の空気の温度との温度差が３℃以下でない場合、すなわちステップＳ５０においてＮｏの場合は、ステップＳ４０に戻る。
【００５２】
温度調整コイル２１の設定温度と、還気温度センサー６によって検知された現在の室内の空気の温度との温度差が３℃以下である場合、すなわちステップＳ５０においてＹｅｓの場合は、ステップＳ７０において制御部３１は、風路切り換え信号の送信を停止して第２切り換え制御を実施し、第２風路から第１風路に切り換え、一連の風路の切り換え動作が終了する。
【００５３】
また、ステップＳ２０においてＮｏの場合およびステップＳ３０においてＮｏの場合は、ステップＳ７０において制御部３１は、風路切り換え信号の送信を停止して第２切り換え制御を実施し、第２風路から第１風路に切り換え、一連の風路の切り換え動作が終了する。
【００５４】
一方、温度調整コイル２１の現在の運転が暖房運転でない場合、すなわちステップＳ１０においてＮｏの場合は、ステップＳ６０において制御部３１は、温度調整コイル２１の現在の運転が冷房運転であるか否かを判定する。
【００５５】
例えば現在が夏季であって温度調整コイル２１の現在の運転が冷房運転である場合、すなわちステップＳ６０においてＹｅｓの場合は、ステップＳ８０において制御部３１は、外気温度センサー５によって検知された現在の外気の温度が３５℃以上であるか否かを判定する。この場合の３５℃は、既定の第３温度閾値である。
【００５６】
現在の外気の温度が３５℃以上である場合、すなわちステップＳ８０においてＹｅｓの場合は、ステップＳ９０において制御部３１は、還気温度センサー６によって検知された現在の室内の空気の温度、すなわち室内温度が３０℃以上であるか否かを判定する。この場合の３０℃は、既定の第４温度閾値である。
【００５７】
現在の室内温度が３０℃以上である場合、すなわちステップＳ９０においてＹｅｓの場合は、ステップＳ１００において制御部３１は、風路切り換え信号を第１風路切り換えダンパー２２に送信して第１切り換え制御を実施し、第１風路から第２風路に切り換える。
【００５８】
つぎに、ステップＳ１１０において制御部３１は、温度調整コイル２１の設定温度と、還気温度センサー６によって検知された現在の室内の空気の温度との温度差が３℃以下であるか否か、すなわち（温度調整コイル２１の設定温度−現在の室内温度≦３℃）であるか否かを判定する。
【００５９】
温度調整コイル２１の設定温度と、還気温度センサー６によって検知された現在の室内の空気の温度との温度差が３℃以下でない場合、すなわちステップＳ１１０においてＮｏの場合は、ステップＳ１００に戻る。
【００６０】
温度調整コイル２１の設定温度と、還気温度センサー６によって検知された現在の室内の空気の温度との温度差が３℃以下である場合、すなわちステップＳ１１０においてＹｅｓの場合は、ステップＳ７０において制御部３１は、風路切り換え信号の送信を停止して第２切り換え制御を実施し、第２風路から第１風路に切り換え、一連の風路の切り換え動作が終了する。
【００６１】
また、ステップＳ８０においてＮｏの場合およびステップＳ９０においてＮｏの場合は、ステップＳ７０において制御部３１は、風路切り換え信号の送信を停止して第２切り換え制御を実施し、第２風路から第１風路に切り換え、一連の風路の切り換え動作が終了する。
【００６２】
上述した本実施の形態１にかかる熱交換型換気システム１００は、温度調整コイル２１が暖房運転モードまたは冷房運転モードで運転する際に、外気温度センサー５によって検知された外気の温度および還気温度センサー６によって検知された室内の空気の温度が既定の温度条件を満たす場合に、給気風路１１から還流給気風路に切り換える位置に第１風路切り換えダンパー２２を配置する第１切り換え制御を制御部３１が自動で実施する。このため、外気を取り入れる風路である給気風路１１から、室内の空気を給気風路における温度調整コイル２１よりも上流側の途中位置に還流して室内空気を循環させる風路である還流給気風路に自動で切り換えることができ、外気ではなく室内空気を熱交換型換気システム１００に取り入れることができる。これにより、外気を熱交換型換気システム１００に取り入れる場合に比べて、室内に給気する空気の温度を急速に温度調整することができ、室内の温度を急速に上昇させることが可能である。
【００６３】
熱交換型換気システム１００は、例えば冬季の早朝時などにおいて外気温度と室内温度とがともに低く、熱交換型換気装置１を通過した空気の温度が低い場合でも、外気を熱交換型換気システム１００に取り入れる場合に比べて、室内に給気する空気の温度を急速に暖めることができ、室内の温度を急速に上昇させることが可能である。
【００６４】
熱交換型換気システム１００は、換気機能と温度調整機能とを兼ね備えた機器のみで室内の空気調和を実現する。熱交換型換気システム１００を用いることで、設置する機器およびダクト配管といった資材を減らし、また使用する電力の低減のために空気調和システムの簡略化を図る場合でも、快適な室内環境を実現することができる。
【００６５】
実施の形態２．
本実施の形態２では、第１切り換え制御の実施後に既定の時間が経過した場合に、制御部３１が第２切り換え制御を実施する場合について説明する。図５は、本発明の実施の形態２における熱交換型換気システム１００の運転時における風路の切り換え動作の手順の一例を示すフローチャートである。図５に示すフローチャートは、ステップＳ５０の代わりにステップＳ２１０を実施し、ステップＳ１１０の代わりにステップＳ２２０を実施する点が、図４に示すフローチャートと異なる。
【００６６】
ステップＳ２１０において制御部３１は、ステップＳ４０における第１切り換え制御の実施後に３０分が経過したか否か、すなわち風路切り換え信号の送信を開始後に３０分が経過したか否かを判定する。
【００６７】
第１切り換え制御の実施後に３０分が経過していない場合、すなわちステップＳ２１０においてＮｏの場合は、ステップＳ４０に戻り第１切り換え制御を継続する。また、第１切り換え制御の実施後に３０分が経過した場合、すなわちステップＳ２１０においてＹｅｓの場合は、ステップＳ７０に進む。
【００６８】
ステップＳ２２０において制御部３１は、ステップＳ１００における第１切り換え制御の実施後に３０分が経過したか否か、すなわち風路切り換え信号の送信を開始後に３０分が経過したか否かを判定する。
【００６９】
第１切り換え制御の実施後に３０分が経過していない場合、すなわちステップＳ２２０においてＮｏの場合は、ステップＳ１００に戻り第１切り換え制御を継続する。また、第１切り換え制御の実施後に３０分が経過した場合、すなわちステップＳ２２０においてＹｅｓの場合は、ステップＳ７０に進む。
【００７０】
上述したフローの制御を行う場合も、実施の形態１の場合と同様の効果が得られる。
【００７１】
実施の形態３．
本実施の形態３では、制御部３１が時刻機能を有し、現在の時刻と既定の時刻とに基づいて制御部が第１切り換え制御と第２切り換え制御とを実施する場合について説明する。図６は、本発明の実施の形態３における熱交換型換気システム１００の運転時における風路の切り換え動作の手順の一例を示すフローチャートである。図６に示すフローチャートは、ステップＳ２０およびステップＳ３０の代わりにステップＳ３１０を実施し、ステップＳ５０の代わりにステップＳ３２０を実施し、ステップＳ８０およびステップＳ９０の代わりにステップＳ３３０を実施し、ステップＳ１１０の代わりにステップＳ３４０を実施する点が、図４に示すフローチャートと異なる。
【００７２】
ステップＳ３１０において制御部３１は、現在の時刻が午前６時を経過しているか否かを判定する。現在の時刻が午前６時を経過していない場合、すなわちステップＳ３１０においてＮｏの場合は、ステップＳ３１０に戻る。また、現在の時刻が午前６時を経過している場合、すなわちステップＳ３１０においてＹｅｓの場合は、ステップＳ４０に進む。
【００７３】
ステップＳ３２０において制御部３１は、現在の時刻が午前８時を経過しているか否かを判定する。現在の時刻が午前８時を経過していない場合、すなわちステップＳ３２０においてＮｏの場合は、ステップＳ４０に戻る。また、現在の時刻が午前８時を経過している場合、すなわちステップＳ３２０においてＹｅｓの場合は、ステップＳ７０に進む。
【００７４】
ステップＳ３３０において制御部３１は、現在の時刻が午前６時を経過しているか否かを判定する。現在の時刻が午前６時を経過していない場合、すなわちステップＳ３３０においてＮｏの場合は、ステップＳ３３０に戻る。また、現在の時刻が午前６時を経過している場合、すなわちステップＳ３３０においてＹｅｓの場合は、ステップＳ１００に進む。
【００７５】
ステップＳ３４０において制御部３１は、現在の時刻が午前８時を経過しているか否かを判定する。現在の時刻が午前８時を経過していない場合、すなわちステップＳ３４０においてＮｏの場合は、ステップＳ１００に戻る。また、現在の時刻が午前８時を経過している場合、すなわちステップＳ３４０においてＹｅｓの場合は、ステップＳ７０に進む。
【００７６】
すなわち、本実施の形態３では、制御部３１は、現在の時刻が既定の時刻よりも前であり熱交換型換気システム１００が運転している場合に第１切り換え制御を実施し、現在の時刻が既定の時刻を経過した場合に第２切り換え制御を実施する。
【００７７】
上述したフローの制御を行う場合は、制御部３１は、現在の時刻に基づいて第１切り換え制御および第２切り換え制御を自動的に実施して風路を切り換える。この場合も、実施の形態１の場合と同様の効果が得られる。このような風路の制御は、毎日決まった時間に熱交換型換気システム１００が利用される、例えば事務所および学校といった場所での利用に好適である。上記の風路の制御によって、早朝時などの室内の換気の必要性が小さく、かつ温度調整のニーズが高いときに、ユーザーの要求に合わせて熱交換型換気システム１００の役割を換気装置の役割から内調機の役割に変化させることができる。上記の風路の制御は、特に室内に他の内調機が配置されていない場合に、熱交換型換気システム１００一台で換気装置の役割と内調機の役割との二役を担うことができ有用である。
【００７８】
実施の形態４．
本実施の形態４では、制御部３１が、第１切り換え制御の実施後に、給気用送風機３の風量を第１切り換え制御の実施前よりも増加させる場合について説明する。図７は、本発明の実施の形態４における熱交換型換気システム１００の運転時における風路の切り換え動作の手順の一例を示すフローチャートである。図７に示すフローチャートは、ステップＳ４１０、ステップＳ４２０およびステップＳ４３０を実施する点が、図４に示すフローチャートと異なる。
【００７９】
ステップＳ４１０において制御部３１は、ステップＳ４０における第１切り換え制御の実施後に、給気用送風機３の風量を第１切り換え制御の実施前よりも増加させて最大ノッチとする制御を行う。
【００８０】
ステップＳ４３０において制御部３１は、ステップＳ１００における第１切り換え制御の実施後に、給気用送風機３の風量を第１切り換え制御の実施前よりも増加させて最大ノッチとする制御を行う。
【００８１】
ステップＳ４２０において制御部３１は、ステップＳ４１０およびステップＳ４３０において増加させた給気用送風機３の風量を、第１切り換え制御の実施前の状態に戻す制御を行う。
【００８２】
上述したフローの制御を行うことにより、第１切り換え制御の実施後に給気用送風機３の風量を第１切り換え制御の実施前よりも自動的に増加させることができ、室内空気の温度調整をより急速に行うことが可能である。
【００８３】
実施の形態５．
本実施の形態５では、制御部３１が、排気用送風機４の風量を、第１切り換え制御の実施後から第２切り換え制御を実施するまでの間に、排気用送風機４を停止させる制御、排気用送風機４の風量を第１切り換え制御の実施前よりも低減させる制御、および排気用送風機４の風量を第１切り換え制御の実施前と同じ状態を継続する制御のうち任意の制御に切り換える場合について説明する。図８は、本発明の実施の形態５における熱交換型換気システム１００の運転時における風路の切り換え動作の手順の一例を示すフローチャートである。図８に示すフローチャートは、ステップＳ５１０、ステップＳ５２０およびステップＳ５３０を実施する点が、図４に示すフローチャートと異なる。
【００８４】
ステップＳ５１０およびステップＳ５３０において制御部３１は、ステップＳ４０における第１切り換え制御の実施後に、リモートコントローラー３２から送信される風量指示情報に従って、排気用送風機４を停止させる制御、排気用送風機４の風量を第１切り換え制御の実施前よりも低減させる制御、および排気用送風機４の風量を第１切り換え制御の実施前と同じ状態を継続する制御のうち任意の制御に切り換えて実施する。また、排気用送風機４の風量の制御は、任意のタイミングで変更可能である。
【００８５】
ステップＳ５２０において制御部３１は、ステップＳ５１０およびステップＳ５２０において変更した排気用送風機４の風量を、第１切り換え制御の実施前の状態に戻す制御を行う。
【００８６】
上述したフローの制御を行うことにより、第１切り換え制御の実施後に排気用送風機４の風量を任意の風量に変更可能となり、風量を減らす場合には室内空気の温度調整をより急速に行うことが可能である。
【００８７】
また、制御部３１が、排気用送風機４の風量について、第１切り換え制御の実施後から第２切り換え制御を実施するまでの間に、排気用送風機を停止させる制御、排気用送風機の風量を第１切り換え制御の実施前よりも低減させる制御、および排気用送風機の風量を第１切り換え制御の実施前と同じ状態を継続する制御のうち、あらかじめ決められて制御部３１に設定されているいずれか１つの制御を実施することも可能である。
【００８８】
上記の制御を行うことにより、第１切り換え制御の実施後に排気用送風機４の風量を任意の風量に変更可能となり、風量を減らす場合には室内空気の温度調整をより急速に行うことが可能である。
【００８９】
実施の形態６．
図９は、本発明の実施の形態６にかかる熱交換型換気システム２００の構成を簡略化して示す模式図である。本発明の実施の形態６にかかる熱交換型換気システム２００は、温度調整コイル２５が熱交換型換気装置１の内部における熱交換素子２の下流側に組み込まれている点が熱交換型換気システム１００と異なる。
【００９０】
温度調整コイル２５が熱交換型換気装置１の内部における熱交換素子２の下流側に組み込まれている場合も、上述した実施の形態１から実施の形態５に示した制御が可能であり、熱交換型換気システム１００と同様の効果が得られる。また、温度調整コイル２５があらかじめ熱交換型換気装置１の内部に組み込まれることで、下流側給気風路１１ｃを構成するダクト配管の配設が容易になる。
【００９１】
実施の形態７．
図１０は、本発明の実施の形態７にかかる熱交換型換気システム３００の構成を簡略化して示す模式図である。本発明の実施の形態７にかかる熱交換型換気システム３００は、第１風路切り換えダンパー２２の代わりに、第２風路切り換えダンパー２６が仕切壁８の一部の位置に設けられている点が熱交換型換気システム１００と異なる。第２風路切り換えダンパー２６は、第１風路切り換えダンパー２２と同様に、外気を取り入れる風路である給気風路と、室内の空気を給気風路における温度調整コイルよりも上流側の途中位置に還流させる還流給気風路と、を切り換える風路切り換えダンパーである。
【００９２】
仕切壁８には、外気熱交換後風路１１ｂｂ内の給気用送風機３の上流となる領域と、室内空気熱交換前風路１２ｂａとを連通するバイパス開口８ａが形成されている。また、外気熱交換後風路１１ｂｂには、バイパス開口８ａを開閉する開閉部である第２風路切り換えダンパー２６が配置されている。バイパス開口８ａは、室内空気熱交換前風路１２ｂａを流れる排気流の少なくとも一部を外気熱交換後風路１１ｂｂへと流すことを目的として、外気熱交換後風路１１ｂｂと室内空気熱交換前風路１２ｂａとの間に設けられている。
【００９３】
第２風路切り換えダンパー２６によりバイパス開口８ａを閉じた場合には、外気熱交換後風路１１ｂｂと室内空気熱交換前風路１２ｂａとが独立した状態となり、室内空気熱交換前風路１２ｂａから外気熱交換後風路１１ｂｂへの排気流のバイパス流は発生しない。
【００９４】
一方、第２風路切り換えダンパー２６を全開にすることにより、室内空気熱交換前風路１２ｂａと外気熱交換後風路１１ｂｂとがバイパス開口８ａを介して連通した状態となるとともに、外気熱交換後風路１１ｂｂにおいて熱交換素子２に隣接する領域、すなわち外気熱交換後風路１１ｂｂにおける熱交換素子２と給気用送風機３との間を閉鎖することができる。これにより、外気熱交換後風路１１ｂｂには、室内空気熱交換前風路１２ｂａからバイパス開口８ａを通過する排気流のバイパス流が流れることになる。そして、給気風路１１における第２風路切り換えダンパー２６よりも上流側の空気流が第２風路切り換えダンパー２６よりも下流側に流れなくなる。
【００９５】
すなわち、第２風路切り換えダンパー２６は、装置内給気風路における熱交換素子よりも下流側の部分と熱交換型換気装置内の排気風路における熱交換素子よりも上流側の部分とを仕切るとともに熱交換型換気装置内の給気風路における熱交換素子よりも下流側の部分を開放して外気を取り入れる風路である第３風路と、熱交換型換気装置内の給気風路における熱交換素子よりも上流側を塞ぐとともに熱交換型換気装置内の給気風路における熱交換素子よりも下流側の部分と熱交換型換気装置内の排気風路における熱交換素子よりも上流側の部分とを連通させて室内空気を循環させる風路である第４風路とを切り換える、熱交換型換気装置内の給気風路における熱交換素子よりも下流側に配置された風路切り換えダンパーである。そして、第２風路が還流給気風路である。
【００９６】
上記のように第１風路切り換えダンパー２２の代わりに第２風路切り換えダンパー２６を備える熱交換型換気システム３００は、熱交換型換気システム１００と同様の効果が得られる。また、熱交換型換気システム３００においても上述した実施の形態１から実施の形態６に示した技術が適用可能である。なお、熱交換型換気システム３００の場合は、バイパス流は熱交換素子２を通過しないが、バイパス流は外気ではなく、室内空気であるため、外気を熱交換型換気システム３００に取り入れる場合に比べて、室内に給気する空気の温度を急速に暖めることができ、室内の温度を急速に上昇させることが可能である。
【００９７】
以上の実施の形態に示した構成は、本発明の内容の一例を示すものであり、上述した実施の形態の技術同士を組み合わせることも可能であり、上述した実施の形態の技術を別の公知の技術と組み合わせることも可能であるし、本発明の要旨を逸脱しない範囲で、構成の一部を省略、変更することも可能である。
【符号の説明】
【００９８】
１  熱交換型換気装置、１ａ  外気吸込口、１ｂ  給気吐出口、１ｃ  室内空気吸込口、１ｄ  排気吐出口、１ｅ  筐体、２  熱交換素子、３  給気用送風機、４  排気用送風機、５  外気温度センサー、６  還気温度センサー、７，８  仕切壁、８ａ  バイパス開口、１１  給気風路、１１ａ  上流側給気風路、１１ｂ  装置内給気風路、１１ｂａ  外気熱交換前風路、１１ｂｂ  外気熱交換後風路、１１ｂｃ  熱交換素子給気風路、１１ｃ  下流側給気風路、１２  排気風路、１２ａ  上流側排気風路、１２ｂ  装置内排気風路、１２ｂａ  室内空気熱交換前風路、１２ｂｂ  室内空気熱交換後風路、１２ｂｃ  熱交換素子排気風路、１２ｃ  下流側排気風路、１３  分岐給気風路、２１，２５  温度調整コイル、２２  第１風路切り換えダンパー、２３  モーター制御部、２４  モーター、２６  第２風路切り換えダンパー、３１  制御部、３２  リモートコントローラー、５１  天井、５２  天井裏、５３  室内、１００，２００，３００  熱交換型換気システム、１０１  プロセッサ、１０２  メモリ。
【図１】
2019058517.tif 000003
【図２】
2019058517.tif 000004
【図３】
2019058517.tif 000005
【図４】
2019058517.tif 000006
【図５】
2019058517.tif 000007
【図６】
2019058517.tif 000008
【図７】
2019058517.tif 000009
【図８】
2019058517.tif 000010
【図９】
2019058517.tif 000011
【図１０】
2019058517.tif 000012
【国際調査報告】
2019058517.tif 000013
2019058517.tif 000014
2019058517.tif 000015